(57)【要約】【課題】  被包装品の形状や包装用容器のサイズに合わせて、拘束壁の位置を容易に変更できる包装用拘束材及び拘束方法を提供する。【解決手段】  包装用拘束材１は厚紙製の拘束壁２を備えている。拘束壁２の上縁と下縁に突起１２を上下反対向きに一体形成し、突起１２に先鋭部１２ａを設ける。先鋭部１２ａを段ボール箱４の底面４ｂと天井面４ａに突き刺し、該突起１２により拘束壁２を段ボール箱４に係止した状態で、拘束壁２により被包装品５を拘束する。【選択図】        図１
2009196643.tif 000002
【特許請求の範囲】
【請求項１】
包装用容器の内部で被包装品を移動しないように拘束する包装用拘束材において、被包装品を拘束する厚紙製の拘束壁と、拘束壁を包装用容器に係止する突起とを備え、突起に包装用容器の段ボール製部分の内面に突き刺さる尖鋭部を設けたことを特徴とする包装用拘束材。
【請求項２】
前記突起を拘束壁の対向する二つの外縁に反対向きに形成し、突起の尖鋭部を包装用容器の対向する二つの段ボール製部分の内面に突き刺す請求項１記載の包装用拘束材。
【請求項３】
前記拘束壁を立体的な自立形態と平面的な保管形態とに折畳可能に構成した請求項１又は２記載の包装用拘束材。
【請求項４】
前記拘束壁にその一部を切除又は折り曲げるための切込みを形成した請求項１、２又は３記載の包装用拘束材。
【請求項５】
包装用容器の内部で被包装品を包装用拘束材により移動しないように拘束する被包装品の拘束方法において、包装用拘束材が厚紙製の拘束壁を備え、拘束壁に形成した突起の尖鋭部を包装用容器の段ボール製部分の内面に突き刺し、該突起により拘束壁を包装用容器に係止した状態で、拘束壁により被包装品を拘束することを特徴とする被包装品の拘束方法。
【発明の詳細な説明】
【技術分野】
【０００１】
本発明は、包装用容器の内部で被包装品を移動しないように拘束する包装用拘束材と、該包装用拘束材を用いて被包装品を拘束する拘束方法とに関する。
【背景技術】
【０００２】
従来、外装用段ボール箱の内部に収めた被包装品を拘束壁により拘束し、被包装品の移動・荷崩れを防止する包装用拘束材が知られている。例えば、図１０に示すように、特許文献１に記載された包装用拘束材５１は、縦横に長い厚紙製の拘束壁５２をスリット５３で結合して井桁状に組み合わせ、拘束壁５２の両端を段ボール箱５４の内面に当て、被包装品を収納室５５に収めて拘束部材５２で拘束するように構成されている。
【特許文献１】実開平２−４００２１号公報
【発明の開示】
【発明が解決しようとする課題】
【０００３】
ところが、従来の包装用拘束材５１によると、縦横の拘束壁５２をスリット５３で結合し、拘束壁５２の両端を段ボール箱５４の内面に当てているので、段ボール箱５４の内部で拘束壁５２の位置を変更できないという問題点があった。このため、多種類の包装用拘束材５１を用意し、被包装品の形状や段ボール箱５４のサイズに合ったものを交換して使用する面倒があった。
【０００４】
本発明の目的は、上記課題を解決し、被包装品の形状や包装用容器のサイズに合わせて、拘束壁の位置を容易に変更できる包装用拘束材及び拘束方法を提供することにある。
【課題を解決するための手段】
【０００５】
上記の課題を解決するために、本発明は、包装用容器の内部で被包装品を移動しないように拘束する包装用拘束材において、被包装品を拘束する厚紙製の拘束壁と、拘束壁を包装用容器に係止する突起とを備え、突起に包装用容器の段ボール製部分の内面に突き刺さる尖鋭部を設けたことを特徴とする。
【０００６】
ここで、包装用容器とは、被包装品を外側から包装するための容器であって、その構成は特に限定されない。例えば、全体が段ボール製の段ボール箱や、適宜材料からなる外箱と被包装品の間に介装される中敷用の段ボール板とからなるものや、被包装品を外側から挟み込む外敷用の段ボール板からなるもの等を使用できる。被包装品は、特定の物品に限定されず、食品、衣類、陶磁器、機械部品、電気機器等を例示できる。
【０００７】
拘束壁の形状は、特に限定されず、例えば、箱形、筒形、波形、弓形、平板形等とすることができる。包装用拘束材の設置及び保管を容易にするために、拘束壁を立体的な自立形態と平面的な保管形態とに折畳可能に構成してもよい。一種類の包装用拘束材を異なるサイズの被包装品に適用できるように、拘束壁にその一部を切除又は折り曲げるための切込みを形成してもよい。拘束壁を形成する厚紙の厚さは、強度と重量とのバランスから２ｍｍ〜７ｍｍが好ましく、２．５ｍｍ〜５ｍｍがより好ましい。
【０００８】
突起は、例えば、拘束壁の外縁上に適当数を一体的に形成することができる。好ましくは、拘束壁を包装用容器に強固に係止できるように、突起を拘束壁の対向する二つの外縁に反対向きに形成し、突起の尖鋭部を包装用容器の対向する二つの段ボール製部分の内面に突き刺す構成を採用できる。尖鋭部は、例えば、三角形の突起の頂点、鋸歯形の突起の山部、突起の先端面に立つピン等とすることができる。
【０００９】
また、本発明は、包装用容器の内部で被包装品を包装用拘束材により移動しないように拘束する被包装品の拘束方法において、包装用拘束材が厚紙製の拘束壁を備え、拘束壁に形成した突起の尖鋭部を包装用容器の段ボール製部分の内面に突き刺し、突起により拘束壁を包装用容器に係止した状態で、拘束壁により被包装品を拘束することを特徴とする。
【発明の効果】
【００１０】
本発明の包装用拘束材及び被包装品の拘束方法によれば、突起の尖鋭部を包装用容器の内面に突き刺して、拘束壁を包装用容器に係止するので、尖鋭部を突き刺す位置を変えることにより、拘束壁の係止位置を被包装品の形状や包装用容器のサイズに合わせて容易に変更できるという優れた効果を奏する。
【発明を実施するための最良の形態】
【００１１】
包装用拘束材（１、２１、３１）は、被包装品を拘束する厚紙製の拘束壁（２、２２、３２）と、拘束壁を包装用容器に係止する突起（１２、２８、３３）とを備え、突起に包装用容器の段ボール製部分の内面に突き刺さる尖鋭部（１２ａ、２８ａ、３３ａ）を設けたものとする。突起を拘束壁の対向する二つの外縁に反対向きに形成し、尖鋭部を包装用容器の対向する二つの段ボール製部分の内面に突き刺すようにした形態を例示できる。
【実施例１】
【００１２】
以下、本発明の実施例を図面に基づいて説明する。図１〜図５は実施例１の包装用拘束材と、これを用いた被包装品の拘束方法とを示す。包装用拘束材１は厚紙製の拘束壁２を備えている。拘束壁２は、短冊材の両端部を接着部３にて貼り合わせ、環状又は筒形に形成されている。そして、例えば三つの拘束壁２が、包装用容器としての全体が段ボール製の段ボール箱４の内部で、被包装品５（棒状物品を図示）の両端部と中間部とに装着されるようになっている。
【００１３】
拘束壁２には二枚の長壁部６と二枚の短壁部７とが設けられている。隣接する長壁部６と短壁部７はヒンジ溝８により折曲自在に接続され、拘束壁２が段ボール箱４の内部で自立する平面長四角環状の立体的な自立形態（図２参照）と、平面的な保管形態（図３参照）とに折畳可能に構成されている。長壁部６の下部には、被包装品５に嵌合する二つの切欠１０が下向きに形成され、切欠１０により被包装品５が段ボール箱４の幅方向に拘束される。
【００１４】
二つの切欠１０の間において、長壁部６には切込み（ミシン目）１１が水平に形成され、必要に応じ、切込み１１より下側の切欠調整部分６ａを切除または折り曲げることができるようになっている。なお、被包装品５の両端部に装着される拘束壁２では、切欠１０と切込み１１が一方の長壁部６のみに形成され、他方の長壁部６が被包装品５の端面に当接して、被包装品５を段ボール箱４の長手方向に拘束するようになっている（図１参照）。
【００１５】
拘束壁２の対向する二つの外縁、つまり上縁２ａと下縁２ｂには、拘束壁２を段ボール箱４に係止するための複数の突起１２が上下反対向きに一体形成されている。突起１２はそれぞれ三角形に形成され、三角形の頂点を含む部分に尖鋭部１２ａが設けられている。そして、拘束壁２の自立形態において、尖鋭部１２ａを段ボール箱４の対向する二つの段ボール製部分の内面、つまり天井面４ａと底面４ｂとに突き刺すようになっている。
【００１６】
次に、実施例１の包装用拘束材１を用いて、被包装品５を包装及び拘束する方法について説明する。まず、図１に示すように、段ボール箱４の内部に、例えば、二本の被包装品５と三つの包装用拘束材１とを収納し、拘束壁２を自立形態に開き、長壁部６の切欠１０を被包装品５に嵌合して、被包装品５の両端部と中間部とに包装用拘束材１を装着する。次に、図４（ａ）に示すように、突起１２の尖鋭部１２ａを段ボール箱４の底面４ｂに突き刺し、突起１２で拘束壁２の下部を段ボール箱４に係止する。
【００１７】
続いて、図４（ｂ）に示すように、段ボール箱４の蓋１３を閉じ、上側の突起１２の尖鋭部１２ａを段ボール箱４の天井面４ａ（蓋１３の内面）に突き刺し、突起１２で拘束壁２の上部を蓋１３に係止する。その後、蓋１３を鋲止め、接着剤、テープ等で密閉し、三つの拘束壁２で被包装品５を段ボール箱４の幅方向及び長手方向に拘束して、包装作業を完了する。なお、包装用拘束材１を被包装品５に装着したのち、直ちに蓋１３を閉じ、拘束壁２の上下の突起１２を段ボール箱４の内面に同時に突き刺してもよい。
【００１８】
この実施例の包装用拘束材１及び包装方法によれば、次のような効果が得られる。
（１）拘束壁２の上下に一体形成した突起１２の尖鋭部１２ａを段ボール箱４に突き刺しているので、被包装品５を段ボール箱４の内部で強固に保持して拘束し、移動・荷崩れを確実に防止できる。
（２）尖鋭部１２ａを突き刺す位置を変えることで、拘束壁２の係止位置を被包装品５の長さや段ボール箱４のサイズに合わせて容易に変更できる。
【００１９】
（３）図５に示すように、長壁部６の切欠調整部分６ａを切込み１１で切除するか、又は折り曲げることにより、切欠１０を拡大し、より大きな断面積の被包装品を拘束できる。
（４）図２に示すように、拘束壁２を自立形態に開けば、包装用拘束材１を段ボール箱４の内部で自立させて随所に移動でき、また、図３に示すように、拘束壁２を保管形態に折り畳めば、非使用時の包装用拘束材１をコンパクトに保管できる。
【実施例２】
【００２０】
図６、図７は実施例２の包装用拘束材と拘束方法とを示す。包装用拘束材２１の拘束壁２２は、厚紙材により短冊形に形成され、中間部に刻設したヒンジ溝２３により、Ｌ字形又はＶ字形の立体的な自立形態と、平面的な保管形態とに折畳可能に構成されている。包装用容器２４は適宜材料からなる外箱２５と段ボール製部分である中敷用の段ボール板２６とからなり、段ボール板２６の内部において、例えば四つの拘束壁２２が被包装品２７の周囲に装着される。
【００２１】
拘束壁２２の上縁２２ａと下縁２２ｂには、拘束壁２２を段ボール板２６に係止するための複数の突起２８が上下反対向きに一体形成されている。突起２８はそれぞれ三角形に形成され、三角形の頂点を含む部分に尖鋭部２８ａが設けられている。そして、拘束壁２２の自立形態において、尖鋭部２８ａを二つ折りにされた段ボール板２６の天井面２６ａと底面２６ｂとに突き刺すようになっている。
【００２２】
被包装品２７を包装及び拘束するにあたっては、まず、段ボール板２６の内部に被包装品２７と包装用拘束材２１とを設置し、拘束壁２２を自立形態に開いて被包装品２７の周囲に装着する。次に、下側の突起２８の尖鋭部２８ａを段ボール板２６の底面２６ｂに突き刺し、拘束壁２２の下部を段ボール板２６に係止する。続いて、段ボール板２６を閉じ、上側の突起２８の尖鋭部２８ａを天井面２６ａに突き刺し、拘束壁２２の上部を段ボール板２６に係止する。
【００２３】
その後、段ボール板２６を外箱２５の内側に収め、段ボール板２６を閉鎖状態に保持し、被包装品２７を拘束壁２２により拘束して、包装作業を完了する。こうすれば、実施例１と同様、突起２８の尖鋭部２８ａにより被包装品２７を包装用容器２４の内部で強固に保持して拘束できるとともに、尖鋭部２８ａの突刺位置を変えることで、拘束壁２２の係止位置を包装用容器２４や被包装品２７のサイズに合わせて容易に変更できる。また、拘束壁２２を段ボール板２６上で自立させることも、扁平に広げて保管することも可能である。
【実施例３】
【００２４】
図８、図９は実施例３の包装用拘束材と拘束方法とを示す。包装用拘束材３１の拘束壁３２は厚紙材によって短冊形に形成されている。拘束壁３２の上縁３２ａ及び下縁３２ｂには複数の突起３３が上下反対向きに一体形成され、拘束壁３２の左縁３２ｃ及び右縁３２ｄに複数の突起３３が左右反対向きに一体形成されている。各突起３３は三角形の頂点を含む部分に尖鋭部３３ａを備え、尖鋭部３３ａを全体が段ボール製の段ボール箱４の天井面４ａ、底面４ｂ、左内壁面４ｃ、右内壁面４ｄに突き刺し、包装用拘束材３１を間仕切りとして使用できるようになっている。
【００２５】
被包装品３４を包装及び拘束するにあたっては、図８に示すように、まず、段ボール箱４の内部に被包装品３４と包装用拘束材３１とを収納し、拘束壁３２を被包装品３４に添わせて装着する。次に、下側及び左右両側の突起３３の尖鋭部３３ａを段ボール箱４の底面４ｂ及び左右の内壁面４ｃ，４ｄに突き刺し、拘束壁３２の三辺を突起３３により段ボール箱４に係止する。続いて、段ボール箱４の蓋１３を閉じ、上側の突起３３の尖鋭部３３ａを天井面４ａに突き刺し、拘束壁３２の上辺を突起３３により蓋１３に係止する。
【００２６】
その後、蓋１３を密閉し、被包装品３４を拘束壁３２により拘束して、包装作業を完了する。こうすれば、特に、拘束壁３２の全周を突起３３の尖鋭部３３ａで段ボール箱４に強固に係止できる。また、拘束壁３２の係止位置を変えることで、段ボール箱４の内部に異なる大きさの収納室を容易に形成できるうえ、包装用拘束材３１を束ねてコンパクトに保管することも可能である。
【００２７】
本発明は上記実施例に限定されるものではなく、例えば以下のように、発明の趣旨から逸脱しない範囲で適宜変更して具体化することもできる。
（１）一つの包装用容器の内部において、実施例１〜３の包装用拘束材１，２１，３１を併用し、複数種の被包装品を拘束すること。
（２）多数の被包装品を段積みする梱包方式において、実施例１〜３の包装用拘束材１，２１，３１及び拘束方法を適用すること。
（３）実施例１〜３の拘束壁２，２２，３２に被包装品を貫通させる穴を設けること。
（４）実施例１〜３の拘束壁２，２２，３２に被包装品を引っ掛ける掛止部を設けること。
【図面の簡単な説明】
【００２８】
【図１】本発明の実施例１の包装用拘束材及び拘束方法を示す斜視図である。
【図２】図１の包装用拘束材の拘束壁を示す斜視図である。
【図３】図２の拘束壁の保管形態を示す斜視図である。
【図４】図２の拘束壁を段ボール箱に係止した状態を示す断面図である。
【図５】図２の拘束壁から一部を切除した状態を示す斜視図である。
【図６】本発明の実施例２の包装用拘束材及び拘束方法を示す斜視図である。
【図７】図６の包装用拘束材の拘束壁を示す斜視図である。
【図８】本発明の実施例３の包装用拘束材及び拘束方法を示す斜視図である。
【図９】図８の包装用拘束材の拘束壁を示す斜視図である。
【図１０】従来の包装用拘束材を示す斜視図である。
【符号の説明】
【００２９】
１，２１，３１    包装用拘束材
２，２２，３２    拘束壁
４    段ボール箱
５，２７，３４    被包装品
１１    切込み
１２，２８，３３    突起
１２ａ，２８ａ，３３ａ    尖鋭部
２６    段ボール板
【図１】
2009196643.tif 000003
【図２】
2009196643.tif 000004
【図３】
2009196643.tif 000005
【図４】
2009196643.tif 000006
【図５】
2009196643.tif 000007
【図６】
2009196643.tif 000008
【図７】
2009196643.tif 000009
【図８】
2009196643.tif 000010
【図９】
2009196643.tif 000011
【図１０】
2009196643.tif 000012